(57)【特許請求の範囲】
【請求項１】
本体ケース１の外面に臨む状態で配置されて、光源２０からの放射光を本体ケース１の外面へ向かって反射誘導する表示パネル２５を含み、
表示パネル２５が、それぞれ透明材で形成された外面側の外導光体２８と、外導光体２８の内側に隣接配置される内導光体２９とで内外複数層に構成されており、
外導光体２８と内導光体２９との少なくともいずれか一方に、光源２０からの入射光を表示パネル２５の外面に向かって反射する反射面３２が設けられており、
外導光体２８と内導光体２９との間に、入射光の拡散を防ぐ屈折層３３が設けてある発光表示装置であって、
本体ケース１の内外に光源２０と表示パネル２５とが、分離して配置されており、
光源２０の放射光を少なくとも内導光体２９に導入案内する中間導光体２６が設けてあり、
中間導光体２６が、内導光体２９とは別体の独立部品で形成されており、
中間導光体２６は、プリズム部３４と、座部３５と、軸部３６とを一体に形成した成形品からなり、
軸部３６が光源２０と対向する状態且つ本体ケース１の壁面を内外に貫通する状態で設けてあるとともに、座部３５の内面が本体ケース１の外面と密着しており、
座部３５の外面と内導光体２９の内面とが隣接して対向しているとともに、プリズム部３４の出光面３７と内導光体２９の入光面３８とが隣接して対向していることを特徴とする発光表示装置。
【請求項２】
外導光体２８と内導光体２９との間に小隙間を設けて、屈折層３３が該小隙間内の空気層で形成されている請求項１記載の発光表示装置。
【請求項３】
反射面３２が、屈折層３３に臨む内外導光体２８・２９の少なくともいずれか一方の面に形成してある請求項１または２記載の発光表示装置。
【請求項４】
内外導光体２８・２９の少なくともいずれか一方の面が、微小梨地面５２に形成されている請求項１、２または３記載の発光表示装置。
【請求項５】
本体ケース１の内部にスイッチ１９が設けられており、
一体化された内外導光体２８・２９に、スイッチ１９をオン・オフ操作する切換ボタン３０と、切換ボタン３０の切り換え操作を阻止するロック具３１とが設けられており、
切換ボタン３０の軸部３０ｂが本体ケース１の壁面を内外に貫通している請求項１、２、３または４記載の発光表示装置。
【請求項６】
屈折層３３に臨む外導光体２８の内面に、反射面３２が設けられており、
この反射面３２が、内導光体２９へ向かって膨出する一群の連続突弧面に形成されている請求項１、２、３、４または５記載の発光表示装置。
【発明の詳細な説明】
【０００１】
【発明の属する技術分野】
この発明は、主として電気かみそりやヘアドライヤー等の小形電気機器に適用される発光表示装置に関する。発光表示装置は、例えば電気かみそりが運転状態や充電状態にあるなど、何等かの作動状態であることを表示するために設けられており、とくに広い範囲にわたって明確な発光表示を行う点に特徴を有する。
【０００２】
【従来の技術】
この種の発光表示装置の従来例として、例えば特開昭６２−４７３９４号公報があり、そこでは、厚みが一定の透明な表示パネルと、表示パネルの一側縁に配置される発光ダイオードと、表示パネルの片面に形成した一群の表示穴とを表示要素にして発光表示を行っている。表示穴の内奥は、発光ダイオードから放射した入射光を表示パネルの外表面へ向かって反射するための反射面になっている。
【０００３】
【発明が解決しようとする課題】
この種の発光表示装置では、光源からの距離が遠ざかるに従って反射光量が減少し、表示パネルの全表面において発光表示を均一化するのが難しい。そこで先の発光表示装置においては、表示穴の穴深さを光源から遠ざかるほど深くすることにより、各反射面における反射光の強度を光源からの距離とは関係なく、ほぼ一定にできるとしている。
【０００４】
上記のように、反射面の位置を光源から遠ざかるほど深くすると、反射面へ直進する光の経路が他の反射面で遮られるのをある程度は解消できる。しかし、光源から表示パネルへ入る光は、必ずしも直進する訳ではない。むしろ入射光は、媒質の違い（空気とプラスチック）によって、媒質の境界面で屈折することが多い。従って、先のように反射面の位置を異ならせたとしても、各反射面への到達光量を均一化するのは極めて難しい。
【０００５】
上記のような輝度むらは、表示パネルの面積が増えるほど、かつ光源からの距離が大きくなるほど顕著に現われる。そのため、大形の表示パネルを用いた発光表示において、パネル面に分散配置した反射表示部を均一にむらなく表示するのは、到底困難であった。本願発明者らは、反射面への到達光量が光源からの距離に比例して減る原因を検討した。その結果、板状の表示パネルの内部における光の伝達は、光ファイバーと同様に屈折を繰り返し行いながら伝わっており、屈折を繰り返す間に光の一部が表示パネルの内外表面から外部へ拡散し、これが到達光量の減少の原因ではないかとの確信を得て、本発明を提案するに至った。因みに光ファイバーにおいてはコアの周面をコアより屈折率の小さなクラッドで覆い、屈折時の光の漏洩（拡散）を防いでいるが、表示パネルにおいてはこの種の配慮が為されていない点に差があると考えられる。
【０００６】
この発明は上記の知見に基づき提案されたものであって、その目的は、広範にわたってより明確な発光表示を行える発光表示装置、とくに電気かみそり等の小形電気機器に好適な発光表示装置を提供することにある。この発明の目的は、光源から遠い位置にある反射面への到達光量を増加でき、従って面積が大きな表示パネルを用いる場合にも、明確な発光表示を行える発光表示装置を提供することにある。
【０００７】
この発明の他の目的は、表示パネルを内外一組の導光体で構成し、両導光体の間にこれらより屈折率の低い屈折層を設けることにより、とくに内導光体における入射光の到達距離を増加できるようにした発光表示装置を提供することにある。この発明の目的は、本体ケースに対する組み立てが容易になり、本体ケースを防水仕様とする際の防水構造も簡素化するにある。
【０００８】
【課題を解決するための手段】
この発明の発光表示装置は、本体ケース１の外面に臨む状態で配置されて、光源２０からの放射光を本体ケース１の外面へ向かって反射誘導する表示パネル２５を含んでいる。この表示パネル２５は、それぞれ透明材で形成された外面側の外導光体２８と、外導光体２８の内側に隣接して配置される内導光体２９とで内外複数層に構成する。外導光体２８と内導光体２９との少なくともいずれか一方には、光源２０からの入射光を表示パネル２５の外面に向かって反射する反射面３２を設ける。さらに、外導光体２８と内導光体２９との間には、入射光の拡散を防ぐ屈折層３３を設ける。なお、本発明で言う透明材とは、半透明材を含むこととする。また、本体ケース１の内外に光源２０と表示パネル２５とを分離して配置し、光源２０の放射光を少なくとも内導光体２９に導入案内する中間導光体２６を設ける。この中間導光体２６を内導光体２９とは別体の独立部品で形成し、中間導光体２６は、プリズム部３４と、座部３５と、軸部３６とを一体に形成した成形品からなる。そして、軸部３６を光源２０と対向する状態且つ本体ケース１の壁面を内外に貫通する状態で設けるとともに、座部３５の内面を本体ケース１の外面と密着する。また、座部３５の外面と内導光体２９の内面を隣接して対向するとともに、プリズム部３４の出光面３７と内導光体２９の入光面３８を隣接して対向する。
【０００９】
外導光体２８と内導光体２９との間に小隙間を設けて、屈折層３３を該小隙間内の空気層で形成する。反射面３２は、屈折層３３に臨む内外導光体２８・２９の少なくともいずれか一方の面に形成する。
【００１０】
本体ケース１の内外に、光源２０と表示パネル２５とを分離して配置する。光源２０の放射光を少なくとも内導光体２９に導入案内する中間導光体２６を、本体ケース１の壁面を内外に貫通する状態で設ける。
【００１１】
中間導光体２６は、内導光体２９とは別体の独立部品で形成して、中間導光体２６の出光面３７と、少なくとも内導光体２９の入光面３８とを隣接して対向させ、内外導光体２８・２９の少なくともいずれか一方の面に微小梨地面５２を形成する。
【００１２】
本体ケース１の内部にスイッチ１９を設け、一体化された内外導光体２８・２９に、スイッチ１９をオン・オフ操作する切換ボタン３０と、切換ボタン３０の切り換え操作を阻止するロック具３１とを設ける。そして、切換ボタン３０は、これの軸部３０ｂが本体ケース１の壁面を内外に貫通するように設ける。
【００１３】
屈折層３３に臨む外導光体２８の内面には、反射面３２を設け、この反射面３２は内導光体２９へ向かって膨出する一群の連続突弧面に形成する。
【００１４】
【作用および発明の効果】
内外二重の外導光板２８と内導光板２９とで表示パネル２５を構成し、両導光板２８・２９の少なくともいずれか一方に反射面３２を設けるとともに、両導光板２８・２９間に入射光の拡散を防ぐ屈折層３３を設けた発光表示装置によれば、屈折層３３と内外導光板２８・２９との境界面における光の拡散を防止できる。この場合の屈折層３３は、各導光板２８・２９の屈折率より低い屈折率になっていて、内導光板２９において全反射する角度領域を大きくでき、光源２０から遠い位置まで効果的に光を伝達できる。さらに、内導光板２９から拡散し屈折層３３を介して外導光板２８に達した光の大半は、その内部で繰り返し屈折しながら、光源２０から遠い位置まで光を伝達できる。従って、本発明によれば、光源２０から遠く離れた反射面３２への到達光量を増加して、表示パネル２５の広い範囲にわたって明確な発光表示を行える。
【００１５】
先に説明したように、屈折層３３は内外の各導光板２８・２９に比べて屈折率が低い物質で形成するか、両導光板２８・２９間に微小隙間を設けて、この隙間を充たす空気層を屈折層３３にすると、例えば屈折層３３を別途形成して内導光板２９に貼り付けるような場合に比べて、部品数を削減できる分だけコストを削減できる。屈折層３３を固体や液体等で形成する場合に比べて、屈折率が低い屈折層３３を容易に構成できる点でも有利である。
【００１６】
反射面３２は、内外の導光板２８・２９の肉壁内であればどこにでも形成できるが、屈折層３３に臨む板面に形成しておけば、反射面３２で反射された光が媒質の境界において再屈折する割合を多くでき、とくに外導光板２９の板面に反射面３２を設ける場合には、他の場合に比べて個々の反射面３２における反射光量を増加でき、より効果的な発光表示を行える。
【００１７】
本体ケース１の内外に光源２０と表示パネル２５とを分離配置し、光源２０からの放射光を中間導体２６を介してケース外の表示パネル２５へ伝達する形態の発光表示装置によれば、光源２０と表示パネル２５とを本体ケース１の内外に個別に組むことができるので、組み付け作業性が向上し、本体ケース１を防水仕様とする場合にも、防水構造を簡素化できる。つまり、中間導光体２６の一部が本体ケース１の壁面を内外に貫通するように設けてあるので、その貫通部の構造やシール部構造を単純化できる。例えば水洗い可能な電気かみそりに、発光表示装置を適用する場合に、本体ケース１の防水構造を簡素化できることになる。
【００１８】
上記の中間導光体２６を内導光体２８とは別の独立部品で形成すると、中間導光体２６を本体ケース１に予め組み付けておくことができるので、さらに組み立てを容易化できる。中間導光体２６を本体ケース１に対して溶着固定する場合には、その取り付けを行うだけでシールも同時に行える。
【００１９】
内外導光体２８・２９の少なくともいずれか一方の板面に微小梨地面５２を形成すると、微小梨地面５２において屈折する光の透過量が減少し、さらに、万遍なく拡散させて、その分だけ光源２０から遠く離れた部分まで光を到達させることができる。
【００２０】
一体化された内外導光体２８・２９を利用して、そこにスイッチ１９用の切換ボタン３０と、ロック具３１を組んだ発光表示装置によれば、切換ボタン３０およびロック具３１と内外導光体２８・２９とを一個のユニット部品化でき、その取り扱いや組み立てが容易に行える。本体ケース１の壁面を貫通する部材を切換ボタン３０の軸部３６のみに限ることができるので、本体ケース１を防水仕様とする場合の防水構造を簡素化できる。
【００２１】
反射面３２を内導光板２９へ向かって膨出する一群の連続突弧面で形成した表示パネル２５によれば、各反射面３２における表示光を高輝度部部分から低輝度部分へと反射光量が漸減するぼかし模様状に表示して、独特の発光表示を行え、その分だけ表示効果を高め、使用者の注意力を喚起し易い点で有利である。
【００２２】
【実施例】
図１ないし図７はこの発明の発光表示装置を水洗い式の電気かみそりに適用した実施例を示す。図２において電気かみそりは、上面および下面が開口する筒状の本体ケース１と、本体ケース１に対して上面の開口から差し込み装填されるかみそりユニット２と、下面側のケース開口を塞ぐ底ケース３と、本体ケース１の前外面に配置される前面パネル４および発光表示装置５と、ケース後面の上下に配置されるきわぞり刃ユニット６および切換ノブ７と、ケース一側に配置される首振りロック用のロックノブ８などを備えている。
【００２３】
かみそりユニット２は、モータ１０、二次電池１１、および回路基板１２などの電気部品を集約配置したシャーシユニット１３と、その上部に設けられるヘッドユニット１４と、シャーシユニット１３の上部に配置した防水シール１５などで構成する。ヘッドユニット１４には、前後一対の回転内刃１６と、外刃１７、およびモータ動力を回転内刃１６や先のきわぞり刃ユニット６へ伝える伝動機構が設けられる。回路基板１２の前外面の上方には、モータ起動用のスイッチ１９が配置され、同基板１２の下方には発光表示装置５用の発光ダイオード（光源）２０と、充電状態表示用のチップ型の発光ダイオード２１とが配置してある。かみそりユニット２を本体ケース１に組み付けた状態において、防水シール１５は本体ケース１の内面に密接してケース内を水密に保持する。図示していないが、モータ１０の出力軸まわりにも専用の防水シールを設けてある。
【００２４】
底ケース３には充電用のコネクターを設けてあり、底ケース３を防水シール２３を介して本体ケース１に下面から組み、さらに底ケース３とシャーシユニット１３とをビスで締結することにより、本体ケース１の下面側開口を水密に保持している。底ケース３の前端にはポケット２４を設けてあり、このポケット２４に前面パネル４の下端が係合装着されている。
【００２５】
モータ１０が起動状態であることを表示し、さらに電池容量を表示するために発光表示装置５を有し、さらに充電時あるいは交流電源での使用状態であることを表示するために充電表示を有する。発光表示装置５は、本体ケース１の前外面に配置される縦長の表示パネル２５と、本体ケース１内に収容される前述の発光ダイオード２０と、発光ダイオード２０の放射光を表示パネル２５へ導入案内する中間導光体２６とで構成する。
【００２６】
表示パネル２５は、それぞれ透明プラスチック材で形成される外面側の外導光体２８と、その内面に隣接配置される内導光体２９とで内外二重に構成し、内導光体２９の成形時に、予め成形しておいた外導光体２８をインサート固定して一体化してある。この表示パネル２５を利用して、スイッチ１９をオン・オフ操作する切換ボタン３０と、切換ボタン３０の切り換え操作を阻止するロック具３１とが設けてある。
【００２７】
外導光体２８は上下に長い帯状のプラスチック成形品からなり、内導光体２９との接合面側に、光を表示パネル２５の前外面へ向かって反射する反射面３２が形成してある。反射面３２は、内導光体２９側へ向かって膨出する一群の連続突弧面からなり、外導光体２８の下端から上寄りにわたって一様に設けてある。その上下方向の全長は７０mm強である。内導光体２９は、外導光体２８より一回り大きく、しかもややぶ厚い、上下に長い帯状のプラスチック成形品からなり、外導光体２８との接合面側に僅かな凹みが設けてある。凹み深さは0.３mmである。この凹みを設けることによって、両導光体２８・２９間に空気層からなる屈折層３３が形成される。
【００２８】
中間導光体２６は、プリズム部３４と、座部３５と、軸部３６とを一体に形成した透明プラスチック製の成形品からなり、軸部３６の突端面が発光ダイオード２０の球状端面と対向する状態で、座部３５に設けた周回リブを本体ケース１に熱溶着する。熱溶着した部分は、本体ケース１の壁面に通設される、軸部３６用の挿通穴の防水シールを兼ねている。表示パネル２５を本体ケース１に組み付けた状態において、プリズム部３４の出光面３７は、内導光体２９の下端面の入光面３８と上下に隣接して対向している。発光ダイオード２０には放射光の漏れを防ぐキャップ３９が外嵌装着してある。図１において符号４０は、発光ダイオード２１の放射光を前面パネル４の外面へと誘導案内する表示ピースであり、この表示ピース４０も中間導光体２６と同様に透明プラスチック製の成形品からなり、本体ケース１に対して熱溶着されている。
【００２９】
切換ボタン３０は、ボタン本体３０ａと、ボタン本体３０ａに圧嵌連結した軸部３０ｂとからなり、本体ケース１に設けたボス４１で、ボタン本体３０ａおよび軸部３０ｂを出没自在に、しかし回転は不能に案内して、ばね４２でケース前外面へ向かって押し出し付勢してある。なお、切換ボタン３０は、ボタン本体３０ａの周面の突起を前面パネル４の内面で受け止めることにより抜け止め保持してある。軸部３０ｂとボス４１との間には、防水用のゴムリング４３が配置してある。
【００３０】
スイッチ１９はチップ化された一種のタッチスイッチからなり、軸部３０ｂの内端がスイッチ表面を押圧する毎にオン状態とオフ状態とに交互に切り換わる。このスイッチ１９は静電気を受ける場合に誤作動してしまう。こうしたスイッチ１９の誤作動を避ける必要上、切換ボタン３０はボタン本体３０ａと軸部３０ｂとに分けて構成し、ボタン本体３０ａのみに金属メッキを施し、電気かみそりの外観上の体裁を向上している。換言すると、切換ボタン３０を一個の部品として形成し、その全体にメッキを施すと、メッキ層に帯電した静電気でスイッチ１９の誤作動を招くおそれがあるが、こうした事態を解消するために、さらに軸部分にマスクをかける手間を省くために、切換ボタン３０を２部品化し、ボタン本体３０ａのみにメッキを施している。
【００３１】
先に説明したようにスイッチ１９は、軸部３０ｂが接当する毎にオン状態とオフ状態に切り換わる。そのため、ひげそり途中に誤って切換ボタン３０に触れてしまったような場合に、スイッチ１９がオフ状態に切り換わることがある。あるいは、子供のいたずらによって、スイッチ１９がオン操作されることもある。こうしたスイッチ１９の不必要な切り換わりを阻止するために、ロック具３１を設けてある。
【００３２】
ロック具３１は、外導光体２８の上部壁を内外に挟んで配置される外面側のスライドノブ４５と内面側の節度ピース４６とからなり、上方の待機位置と下方のロック位置とに上下スライド可能に外導光体２８で案内支持してある。図６の想像線で示すように、ロック位置におけるスライドノブ４５は、その下端のロック片４７がボタン本体３０ａの周壁に設けた係合溝４８内へ入り込んで、ボタン本体３０ａが押し込み操作されるのを阻止する。節度ピース４６とスライドノブ４５とは、スライドノブ４５に設けたピン５１を介して同行スライド可能に連結されている。節度ピース４６には弾性変形可能な一対の弾性脚４９が設けてあり、弾性脚４９が外導光板２８の内面に設けた節度ピン５０を上下に乗り越えて移動することによって、クリック感が得られるようにしてある。
【００３３】
次に、発光表示装置５および発光ダイオード２１と、電気かみそりの作動モードとの関係を説明する。電気かみそりの作動モードには、待機モードと、ＤＣモードと、ＡＣモードと、充電モードと、デモモードとがある。待機モードは、スイッチ１９の入力、あるいはＡＣ入力待ちの状態であって、発光ダイオード２０・２１はいずれも消灯されて非表示状態になっている。
【００３４】
ＤＣモードでは、切換ボタン３０を押し込んでスイッチ１９がオン操作され、モータ１０が起動した状態となる。このとき、充電表示用の発光ダイオード２１は消灯している。発光表示装置５の発光ダイオード２０は基本的に点灯するが、二次電池１１の残りの電池容量に応じて点灯状態が変化する。電池容量が十分にある場合（2.２Ｖ以上）には発光ダイオード２０は連続して点灯する。しかし、二次電池１１の電圧が一定値以下（2.１〜2.２Ｖ）になると、発光ダイオード２０はゆっくりと点滅して、軽度の警告を発する。さらに電圧が降下して所定値（2.１Ｖ）以下になると、発光ダイオード２０を急速に点滅させて、速やかに充電すべきであることを表示する。スイッチ１９がオフ操作された後も、発光ダイオード２０は、一定時間（数秒間）点灯されて、モータ１０が停止する直前の二次電池１１の電圧状態に応じて、連続点灯し、ゆっくりと点滅し、あるいは急速に点滅して電池状態を表示（残光表示という）したのち消灯する。
【００３５】
ＡＣモードでは、ＡＣ入力とスイッチ１９のオン操作とによって、モータ１０が起動し、充電表示用の発光ダイオード２１と、発光ダイオード２０が点灯される。この場合も、ＤＣモードと同様に二次電池１１の電圧状態に応じて、発光ダイオード２０の点灯状態を変化させる。スイッチ１９がオフ操作された後、残光表示を行う点も同じである。
【００３６】
充電モードでは、充電表示用の発光ダイオード２１のみが点灯して、ＡＣ電源が入力され充電中であることを表示する。充電が完了して二次電池１１の電圧が所定値に復帰すると、発光ダイオード２１を消灯し、充電回路を遮断して待機モードへ移行する。
【００３７】
スイッチ１９を一定時間連続してオン（又はオフ）操作すると、デモモードに切り換わる。このデモモードでは、スイッチ１９がオン操作されていてもモータ１０は停止され、発光表示装置５の発光ダイオード２０の点灯状態を連続点灯、ゆっくりした点滅、急速点滅、消灯の順に、一定時間ずつ表示する。このモード状態で再度スイッチ１９が切り換わると、デモモードが解除され、待機モードへ移行する。デモモードにおいてＡＣ入力があると、デモモードは解除され、充電モードへ移行して充電を開始する。
【００３８】
表示パネル２５における、表示光の伝わり方を図７の模式図に示す。発光ダイオード２０から放射された光は、中間導光体２６のプリズム部３４で変向されて、内導光体２９の内部へ入る。この入射光の大半は、符号ａで示すように内導光体２９の内外面において連続山形に反射屈折して上向きに伝わる。このとき、屈折層３３と内導光体２９との境界面においては、屈折層３３の屈折率が内導光体の屈折率より充分に低いので、入射光が境界面で反射屈折する入射角度範囲を大きくできる。従って、中間導光体２６から離れた上方へも、入射光を効果的に送ることができる。
【００３９】
先の境界面を通り抜けた一部の光は、屈折層３３に臨む外導光体２８の反射面３２において、一部が反射されて屈折層３３を上方へ向かって移行する（符号ｂ参照）。反射面３２から外導光体２８の内部へ入り込んだ光の一部は、そのまま表示パネル２５の外へ出るか、反射面３２の入射角によっては、外導光体２８の前外面において反射屈折しながら、上方へ向かって移行し（符号ｃ）、その間に反射面３２で反射され、あるいは反射面３２を通りぬけて屈折層３３内へ再度入り込む。このように、中間導光体２６を介して表示パネル２５へ入射した光の大半は、内外の導光板２８・２９と屈折層３３との間で反射屈折を繰り返しながら上方へ案内されるので、上方の反射面３２へ到達する光量を増加し、表示パネル２５の上下方向の広い範囲にわたって明確な発光表示を行える。
【００４０】
各反射面３２は内導光板２９へ向かって膨出する連続突弧面に形成してある。従って、各突弧面の隣接入隅部分が高輝度に表示され、突弧面の弧頂部に近付くに従って輝度が漸減する。つまりグラディエーション処理を行ったようなぼかし模様状の表示を行える。しかも、この表示は表示パネル２５の下端から上端へ向かって階段状に、かつ輝度が徐々に低下するように表示されるので、見る人に幻想的な印象を与えることができ、加えて表示パネル２５の全体が点灯し、あるいは点滅するので、高度の注意換気機能を発揮する。
【００４１】
上記の実施例では、予め成形しておいた外導光体２８を内導光体２９の成形時に一体化したが、両導光体２８・２９を個別に成形して、熱溶着や接着で両者を一体化することができる。その場合には、図８に示すように、内導光板２９の屈折層３３側の面壁全体を微小梨地面５２に形成して、内導光板２９に入射した光が微小梨地面５２で透過する光量を抑制して、上方への到達光量を増加し、表示パネル２５の下方と上方での表示光量の差を小さくできる。
【００４２】
図９は中間導光体２６の変形例を示す。そこでは、プリズム部３４の出光面３７の前後幅を拡大して、発光ダイオード２０から入射された光を内外双方の導光板２８・２９に同時に変向入射できるようにした。
【００４３】
図１０においては、内導光板２９の上下中途部に、発光ダイオード２０を受け入れる穴５３を設けておき、発光ダイオード２０の放射光を内導光板２９に直接入射できるようにした。また、発光ダイオード２０の球状頂部と対向する外導光体２８の内面に、反射板５４を設けて、放射光が外導光体２８を直接透過するのを防止した。このように、発光ダイオード２０の放射光は、中間導光体２６を介することなく直接入射でき、発光ダイオード２０の内導光体２９に対する配置位置は、任意に選択できる。
【００４４】
反射面３２は、図１１に示すように外導光板２８の外面側へ向かって凹む一群の連続凹弧面で形成することができ、この場合は内導光板２９の外導光板２８との対向面を平端面に形成して、先の凹弧面と内導光板２９との間の空気層を屈折層３３とすることができる。なお、反射面３２は多角錐状や部分球状の突起で形成することができる。また、内導光体２９にも反射面３２を設けることができる。
【００４５】
上記以外に、屈折層３３は空気層以外の透明な固体や液体で形成してもよい。中間導光体２６は内導光板２９と一体に成形してもよい。内導光板２９の厚みを中間導光体２６から遠ざかるに従って徐々に厚く形成し、その本体ケース１側の表面に金属メッキを施して、本体ケース１の側へ透過する光を全て反射させることができる。表示パネル２５の外形形状は四角形や円形など任意に選択できる。
【図面の簡単な説明】
【図１】発光表示装置の要部の縦断側面図である。
【図２】かみそりユニットを分離した状態での本体ケースの縦断面図である。
【図３】電気かみそりの正面図である。
【図４】発光表示装置の分解斜視図である。
【図５】切換ボタンの周辺構造を示す縦断側面図である。
【図６】ロック具と切換ボタンとの関係を示す表示パネルの要部の背面図である。
【図７】表示パネルにおける光の伝達状態を示す説明図である。
【図８】内導光板の変形例を示す斜視図である。
【図９】中間導光体の変形例を示す断面図である。
【図１０】光源の光入射形態の変形例を示す断面図である。
【図１１】反射面の変形例を示す断面図である。
【符号の説明】
１  本体ケース
２０  光源（発光ダイオード）
２５  表示パネル
２６  中間導光体
２８  外導光板
２９  内導光板
３２  反射面
３３  屈折層
【図１】
0004883543.tif 000002
【図２】
0004883543.tif 000003
【図３】
0004883543.tif 000004
【図４】
0004883543.tif 000005
【図５】
0004883543.tif 000006
【図６】
0004883543.tif 000007
【図７】
0004883543.tif 000008
【図８】
0004883543.tif 000009
【図９】
0004883543.tif 000010
【図１０】
0004883543.tif 000011
【図１１】
0004883543.tif 000012